(57)【要約】【課題】強度や伸び等の機械的物性、クッション性、防炎性及び自己消化性に優れると共に、人の頭部への装着時に水に対する十分な浮力を備えた防災頭巾を提供する。【解決手段】  ゴム発泡体を成形して得られた浮材を有する頭部保護部と、前記頭部保護部に設けられた１対の脇当てベルト及び該脇当てベルトを支持するベルト支持部と、前記頭部保護部の端部に延設された１対の胴体保護部と、を備える防災頭巾を提供する。前記ゴム発泡体は、クロロプレンゴム重合体組成物を発泡させると共に加硫して得られたクロロプレンゴム発泡体であってもよい。また、この防災頭巾は、見かけ密度が０．１〜０．９ｇ／ｃｍ３である前記ゴム発泡体を有する浮材が内部に設けられていてもよい。【選択図】図４
2018138177.tif 000002
【特許請求の範囲】
【請求項１】
ゴム発泡体を成形して得られた浮材を有する頭部保護部と、
前記頭部保護部に設けられた１対の脇当てベルト及び該脇当てベルトを支持するベルト支持部と、
前記頭部保護部の端部に延設された１対の胴体保護部と、
を備える防災頭巾。
【請求項２】
前記胴体保護部には、内部に前記浮材が設けられている請求項１に記載の防災頭巾。
【請求項３】
前記頭部保護部は、前記浮材を内包した袋状の保持部を有する請求項１又は２に記載の防災頭巾。
【請求項４】
前記ゴム発泡体が、クロロプレン重合体組成物を発泡させると共に加硫して得られたクロロプレンゴム発泡体である請求項１から３のいずれか一項に記載の防災頭巾。
【請求項５】
前記ゴム発泡体の見かけ密度が０．１〜０．９ｇ／ｃｍ３である請求項１から４のいずれか一項に記載の防災頭巾。
【発明の詳細な説明】
【技術分野】
【０００１】
本発明は、防災頭巾に関する。より詳しくは、火事や津波等の被害が起きた時に有用な防災頭巾の技術に関する。
【背景技術】
【０００２】
近年、人々の防災に対する意識が高まってきている。例えば、防災頭巾を学校、職場及び自宅に常備しておくことはいつ起きるかわからない災害に対して大切なことである。この防災頭巾は改良が施されてきており、人々にとってより使い勝手のよいものとなってきている。
【０００３】
例えば、特許文献１には、発泡ポリエチレンフォームの浮材が設けられた防災頭巾の技術について開示されている。また、特許文献２には、低密度発泡ポリエチレン等を収納した収納部を備えた防災頭巾としても用いられる多機能クッションの技術について開示されている。これらの防災頭巾は、火事や津波等の被害が起きた時の避難用具として用いることができる。
【先行技術文献】
【特許文献】
【０００４】
【特許文献１】実用新案登録第３１７７１２４号公報
【特許文献２】実用新案登録第３１８０６００号公報
【発明の概要】
【発明が解決しようとする課題】
【０００５】
しかしながら、前述した従来の技術では、強度や伸び等の機械的物性、クッション性や防炎性に優れ、十分な浮力を備えた防災頭巾を提供できるとはまだ言えなかった。そこで、本発明は、強度や伸び等の機械的物性、クッション性や防炎性に優れると共に、水に対する十分な浮力を備えた防災頭巾を提供することを主目的とする。
【課題を解決するための手段】
【０００６】
本発明の防災頭巾は、
ゴム発泡体を成形して得られた浮材を有する頭部保護部と、
前記頭部保護部に設けられた１対の脇当てベルト及び該脇当てベルトを支持するベルト支持部と、
前記頭部保護部の端部に延設された１対の胴体保護部と、
を備えることを特徴とする。
前記ゴム発泡体は、クロロプレン重合体組成物を発泡させると共に加硫して得られたクロロプレンゴム発泡体であってもよい。
また、前記ゴム発泡体の見かけ密度は０．１〜０．９ｇ／ｃｍ３であってもよい。
この見かけ密度とは、物体の表面の気孔の体積は除き、内部の気孔の体積を含めて求められる密度のことを指す。この見かけ密度は、ＪＩＳ  Ｚ  ８８０７に基づくかさ比重測定方法によって測定することができる。
また、この防災頭巾は、１対の前記脇当てベルトの夫々に装着された浮遊補助部を更に備えていてもよい。
更に、この防災頭巾は、前記頭部保護部の後頭部を覆う領域に、頭頂部を覆う側から首を覆う側への前記頭部保護部同士の合わせ目に沿って、ファスナーが設けられており、前記ファスナーを開くことにより、前記頭部保護部をシート状に展開可能であってもよい。
また、前記１対の胴体保護部は、一体形成されたベスト状着衣であってもよい。
また、前記胴体保護部は、内部に浮材が設けられていてもよい。
更に、前記頭部保護部は、前記浮材を内包した袋状の保持部を有していてもよい。
【発明の効果】
【０００７】
本発明によれば、強度や伸び等の機械的物性、クッション性や防炎性に優れると共に、水に対する十分な浮力を備えた防災頭巾を提供することができる。
【図面の簡単な説明】
【０００８】
【図１】本発明の第１の実施形態の防災頭巾１を人が装着した状態を示す正面図である。
【図２】同実施形態の防災頭巾１を人が装着した状態を示す側面図である。
【図３】同実施形態の防災頭巾１を人が装着した状態を示す背面図である。
【図４】同実施形態の防災頭巾１の斜視図である。
【図５】同実施形態の防災頭巾１の斜視図である。
【図６】頭部保護部１０の構成を説明するための図である。
【図７】本発明の第２の実施形態の防災頭巾２を人が装着した状態を示す正面図である。
【図８】本発明の第３の実施形態の防災頭巾３の前方斜視図である。
【図９】同実施形態の防災頭巾３の後方斜視図である。
【図１０】同実施形態の防災頭巾３を人が装着した状態を示す前方斜視図である。
【図１１】脇当てベルト２０に装着した浮遊補助部１３を脇当てベルト２０から取り外す工程を説明するための図である。
【図１２】ファスナー１４を開いて、頭部保護部１０をシート状に展開した状態を説明するための図である。
【図１３】同実施形態の防災頭巾３を椅子に装着した状態を説明するための図である。
【発明を実施するための形態】
【０００９】
以下、本発明を実施するための形態について、詳細に説明する。なお、本発明は、以下に説明する実施形態に限定されるものではない。
【００１０】
＜第１の実施形態＞
まず、本発明の第１の実施形態の防災頭巾１について説明する。図１は、本発明の第１の実施形態の防災頭巾１を装着した状態を示す正面図である。また、図２は、本実施形態の防災頭巾１を装着した状態を示す側面図である。更に、図３は、本実施形態の防災頭巾１を装着した状態を示す背面図である。
【００１１】
本実施形態の防災頭巾１は、ゴム発泡体を成形して得られる。図１、図２及び図３に示すように、本実施形態の防災頭巾１は、人の頭部を包み込むようにして装着され、防災頭巾１を装着した人の頭部を火災等から守り、更に、水中で頭部を浮かせ、津波等の水害から身を守ることができる。
【００１２】
図４及び図５は、同実施形態の防災頭巾１の斜視図である。図４及び図５に示すように、本実施形態の防災頭巾１は、複数の頭部保護部１０が連結して形成される。また、防災頭巾１は、この頭部保護部１０に脇当てベルト２０及びベルト支持部３０と、顎ベルト４０とが設けられていてもよい。この防災頭巾１のサイズは、特に限定されず、人の頭部のサイズに合わせて多様に設計することができる。
【００１３】
［頭部保護部１０］
図６は、頭部保護部１０の構成を説明するための図である。この頭部保護部１０は変形自在であり、人の頭部、首、肩を覆うことが可能である。図６に示すように、頭部保護部
１０は、裏層材１０１、浮材１００、表層材１０２が、頭部への装着時に頭部に隣接する側から順に配置されている。この裏層材１０１及び表層材１０２により、浮材１００を内包する袋状の保持部１０３を形成することができる。
【００１４】
裏層材１０１、浮材１００、表層材１０２は一体構造であったり、互いに密着させた構造とすることもできるが、裏層材１０１と表層材１０２により袋状に形成された保持部１０３の中に浮材１００を挿入し、保持部１０３の口を閉じて形成したような構造であることが好ましい。
【００１５】
なお、本実施形態では、複数の頭部保護部１０が連結し、防災頭巾１が形成される例を挙げているが（図１〜図３再参照）、かかる例には限定されない。本実施形態の防災頭巾１では、１つの頭部保護部１０が人の頭部を覆うことが可能な形状をしていてもよい。また、本実施形態の防災頭巾１では、頭頂部を覆う側から首を覆う側への頭部保護部１０同士を接合する合わせ目１９が形成される。更に、後述の本発明の第３の実施形態で説明する取っ手部１５、耳部通気孔１６、ファスナー１４については、図示していないが、少なくとも何れか１つが防災頭巾１に設けられた構成も採用できる。
【００１６】
＜保持部１０３（裏層材１０１及び表層材１０２）＞
保持部１０３を形成する裏層材１０１及び表層材１０２の構成は特に限定されないが、例えば、ナイロンやアラミド等のポリアミド、ポリアクリロニトリル、ポリエステル、ポリエーテルエステル、ポリ塩化ビニル、ポリ塩化ビニリデン、ポリビニルアルコール、ポリオレフィン、ポリウレタン、ポリエーテルエステル、又はポリオレフィン等からなる織物やシート等で構成される。表層材１０１及び表層材１０２は同一の構成でも良く、異なる構成であっても良い。
【００１７】
＜浮材１００＞
図６に示すように、本実施形態の防災頭巾１では、表層材１０１と裏層材１０２の間に浮材１００が設けられ、この浮材１００はゴム発泡体を用いて成形される。
【００１８】
このゴム発泡体の主材となる未加硫のゴム素材としては、天然ゴム、イソプレンゴム、スチレンブタジエンゴム、エチレンプロピレンゴム、クロロプレンゴム、クロロスルホン化ポリエチレンゴム、ウレタンゴム又はエチレン酢酸ビニルゴムが好ましく用いられ、これらのゴム素材を単独で発泡させると共に加硫してゴム発泡体としてもよいし、複数のゴム素材を混合したゴム素材を用いてゴム発泡体としてもよい。また、このゴム素材に、ブタジエンゴム、ニトリルゴム、シリコーンゴムや塩素化ポリエチレン等を更に追加して配合することもできる。
【００１９】
また、浮材１００の内部は必ずしも均一である必要はなく、例えば、異なるゴム発泡体を多層有していたり、異なる複数のゴム発泡体が海島状の構造となっていたりしてもよい。
【００２０】
更に、ゴム発泡体中の空洞である発泡セルの大きさについても特に限定はされない。また、複数の発泡セルは、連続して存在していてもよいし、独立して存在していてもよい。但し、本実施形態の防災頭巾１では、水中に浸かることが想定されるため、ゴム発泡体は、独立した発泡セルを有していることが好ましい。
【００２１】
ゴム発泡体の発泡倍率については、特に制限はないが、防災頭巾１に安定な浮力を与えるという点から、好ましくは、浮材全体の見かけ密度として０．１ｇ／ｃｍ３以上である。また、この発泡倍率については、好ましくは、浮材全体の見かけ密度として０．９ｇ／ｃｍ３以下である。更に、より好ましくは、この発泡倍率については、浮材全体の見かけ
密度として０．３ｇ／ｃｍ３以上である。また、より好ましくは、この発泡倍率については、浮材全体の見かけ密度として０．７ｇ／ｃｍ３以下である。
【００２２】
この見かけ密度とは、物体の表面の気孔の体積は除き、内部の気孔の体積を含めて求められる密度のことを指す。また、この見かけ密度は、ＪＩＳ  Ｚ  ８８０７に基づくかさ比重測定方法によって測定することができる。
【００２３】
（クロロプレンゴム発泡体）
本実施形態の防災頭巾１では、防炎性、自己消化性及び長期保管性の観点から、浮材１００のゴム発泡体として、クロロプレンゴム発泡体を用いることが好ましい。以下では、このクロロプレンゴム発泡体について説明する。クロロプレンゴム発泡体は、クロロプレン重合体に各種の添加剤を加えたクロロプレン重合体組成物を、更に発泡させると共に加硫したクロロプレンゴム発泡体を主成分とする。
【００２４】
加硫と発泡の方法については、公知の方法を適宜採用することができる。また、加硫と発泡の順序、発泡倍率は特に限定されず、用いる加硫剤や発泡剤の種類、発泡させたり加硫したりする際の温度や保持時間等の操作条件を適宜調節することにより、目的とする物性を持つクロロプレンゴム発泡体を得ることができる。発泡倍率については、前述したように、浮材全体の見かけ密度として０．１ｇ／ｃｍ３以上であることが好ましい。また、浮材全体の見かけ密度として０．９ｇ／ｃｍ３以下であることが好ましい。
【００２５】
（クロロプレン重合体）
クロロプレン重合体は、２−クロロ−１，３−ブタジエン（以下、クロロプレンと記す。）の単独重合体、又は、クロロプレンと他の単量体との共重合体である。ここで、クロロプレンと共重合可能な単量体としては、アクリル酸メチル、アクリル酸ブチル、アクリル酸２−エチルヘキシルなどのアクリル酸のエステル類や、メタクリル酸メチル、メタクリル酸ブチル、メタクリル酸２−エチルヘキシルなどのメタクリル酸のエステル類や、２−ヒドロキシエチル（メタ）アクリレート、２−ヒドロキシメチル（メタ）アクリレート、２−ヒドロキシプロピル（メタ）アクリレートなどのヒドロキシ（メタ）アクリレート類や、２，３−ジクロロ−１，３−ブタジエン、１−クロロ−１，３−ブタジエン、ブタジエン、イソプレン、エチレン、スチレン、アクリロニトリルなどが挙げられる。
【００２６】
なお、クロロプレンと共重合する単量体は単独で使用することもできるが、２種以上を組み合わせて使用することもできる。また、クロロプレン重合体のポリマー構造も、特に限定されるものではない。
【００２７】
また、クロロプレン重合体は、用いる分子量調節剤によって、メルカプタン変性タイプ、キサントゲン変性タイプ、硫黄変性タイプに分類される。メルカプタン変性タイプのクロロプレン重合体は、ｎ−ドデシルメルカプタン、ｔｅｒｔ−ドデシルオクチルメルカプタン、オクチルメルカプタン等のアルキルメルカプタン類を分子量調節剤に使用して得られる。また、キサントゲン変性タイプのクロロプレン重合体は、アルキルキサントゲン化合物を分子量調節剤に使用して得られる。また、硫黄変性タイプのクロロプレン重合体は、硫黄とクロロプレン系単量体を共重合したポリマーをチウラムジスルフィドで可塑化し、所定のムーニー粘度に調整して得られる。
【００２８】
本実施形態の防災頭巾１では、前述した分類のうち、特に、いわゆるしゃく解性に優れ、練り工程において粘度が低下する傾向が大きく、発泡しやすい硫黄変性タイプのクロロプレン重合体が好ましく用いられる。これにより、発泡倍率が高いクロロプレンゴム発泡体を得ることができる。
【００２９】
（クロロプレン重合体の製造方法）
クロロプレン重合体は、例えば、ロジン等を乳化分散剤として用いて、クロロプレンを主成分とする原料単量体を、重合触媒、連鎖移動剤、前述した分子量調整剤を用いて乳化重合させ、目的とする重合度に達した後、重合停止剤を添加して重合を停止させ、その後、未反応の単量体を除去して製造することができる。
【００３０】
重合触媒は、クロロプレンを含む原料単量体の乳化重合反応を効率的に行うために添加される。重合触媒としては、通常のクロロプレンの乳化重合に使用されるものを使用することができる。具体的には、無機過酸化物、過硫酸塩、ケトンパーオキサイド類、パーオキシケタール類、ハイドロパーオキサイド類、ジアルキルパーオキサイド類、ジアシルパーオキサイド類などの有機過酸化物が挙げられる。
【００３１】
連鎖移動剤は、クロロプレンを含む原料単量体の乳化重合反応を促進させるために添加される。連鎖移動剤としては、通常のクロロプレンの乳化重合に使用される連鎖移動剤を使用できる。具体的には、ｎ−ドデシルメルカプタン、ｔｅｒｔ−ドデシルメルカプタン、ｎ−オクチルメルカプタンなどの長鎖アルキルメルカプタン類、ジイソプロピルキサントゲンジスルフィドやジエチルキサントゲンジスルフィドなどのジアルキルキサントゲンジスルフィド類、ヨードホルムが挙げられる。
【００３２】
重合停止剤は、クロロプレンを含む原料単量体の乳化重合反応を停止させるために添加される。重合停止剤としては、通常のクロロプレンの乳化重合に使用されている重合停止剤を使用することができる。具体的には、フェノチアジン、パラ−ｔ−ブチルカテコール、ハイドロキノン、ハイドロキノンモノメチルエーテル、ジエチルヒドロキシルアミン、チオジフェニルアミン、１，３，５−トリヒドロキシベンゼンが挙げられる。
【００３３】
クロロプレンの乳化重合反応の反応温度は、通常の乳化重合が行われる範囲とすればよい。また、クロロプレンの最終重合率は５０〜１００％の範囲内で任意に調節することができる。
【００３４】
（クロロプレン重合体組成物）
クロロプレン重合体等のゴム素材には、加硫剤、加硫促進剤、充填剤、補強剤、軟化剤、可塑化剤、可塑化助剤、滑剤、老化防止剤、安定剤、シランカップリング剤及び受酸剤、難燃剤などを配合して、クロロプレン重合体組成物とすることができる。
【００３５】
なお、クロロプレン重合体として硫黄変性クロロプレン重合体を用いた場合の可塑化剤としては、テトラアルキルチウラムジスルフィド、ジアルキルキサンゲンサンジスルフィド、キサントゲン酸塩が好ましく用いられる。また、硫黄変性クロロプレン重合体を用いた場合の可塑化助剤としては、ジチオカルバミン酸塩やジブチルアミンが好ましく用いられる。
【００３６】
クロロプレン重合体に加硫剤、加硫促進剤、発泡剤などを添加してクロロプレン重合体組成物とした後、プレス加硫、射出成形加硫、加硫缶加硫、ＵＨＦ加硫、ＬＣＭ加硫、ＨＦＢ加硫などの方法で発泡させると共に加硫して前述したクロロプレンゴム発泡体とすることができる。その際の発泡加硫温度は、クロロプレンゴム組成物の組成、発泡剤、加硫剤等の種類や濃度によって適宜設定することができる。通常は１３０〜１９０℃の範囲が好ましく、１４０〜１８０℃の範囲がより好ましい。
【００３７】
［脇当てベルト２０及びベルト支持部３０］
図４及び図５に示すように、本実施形態の防災頭巾１には、頭部保護部１０の端部付近に脇当てベルト２０とベルト支持部３０が設けられていることが好ましい。図１、図２及
び図３に示すように、脇当てベルト２０がベルト支持部３０に連結された状態で、脇当てベルト２０及びベルト支持部３０が人の脇下に通されることで、防災頭巾１が容易に外れてしまうことを防止することができる。そのため、例えば、水難者が本実施形態の防災頭巾１を着用していれば、救助者は、防災頭巾１の頭部を覆っている部分等を掴むだけで、水難者を容易に引き寄せることができる。
【００３８】
ベルト支持部３０による脇当てベルト２０の支持方法については、水中等で脇当てベルト２０とベルト支持部３０とが分離してしまうようなことがなく固定することができれば特に限定されない。また、脇当てベルト２０及びベルト支持部３０の材質についても、防災頭巾１の水中における浮力を大きく低減させるものなければ、特に限定されない。
【００３９】
［その他の構成］
また、図４及び図５に示すように、本実施形態の防災頭巾１には、折り畳まれた防災頭巾１の対向する２箇所の端部付近を連結する顎ベルト４０が設けられていてもよい。図１、図２及び図３に示すように、防災頭巾１が人の頭部に装着された際に、顎ベルト４０により防災頭巾１を引き締めて頭部に密着させることにより、防災頭巾１が頭部から外れることを防止することができる。また、本実施形態では、図示していないが、後述の本発明の第３の実施形態で説明する顎ベルト４１、４２が顎ベルト４０の代わりに設けられていてもよい。
【００４０】
以上詳述したように、本実施形態の防災頭巾１は、浮材１００としてゴム発泡体を用いるため、人の頭部への装着時に水に対する十分な浮力をもたらすことができ、強度や伸び等の機械的物性、クッション性や防炎性を優れたものとすることができる。特に、ゴム発泡体の主材としてクロロプレン発泡体を用いると、機械的強度、伸び、クッション性、防炎性、自己消化性により優れた防災頭巾を提供することができる。更に、このクロロプレンゴム発泡体を用いて成形された防災頭巾は、折り曲げられたり、圧縮されたりするような歪みがかけられた状態で長期保管される際に必要とされる耐候性、耐老化性、耐永久ひずみ性の物性バランスにも優れる。
【００４１】
＜第２の実施形態＞
次に、本発明の第２の実施形態の防災頭巾２について説明する。本実施形態の防災頭巾２は、第１の実施形態の防災頭巾１を構成する頭部保護部１０に胴体保護部１１が延設されているという点以外は、第１の実施形態の防災頭巾１と実質的に同様の構成である。そのため、ここでは、主に胴体保護部１１の構成及びその機能について説明する。
【００４２】
［胴体保護部１１］
図７は、本実施形態の防災頭巾２を人が装着した状態を示す正面図である。図７に示すように、本実施形態の防災頭巾２は、頭部保護部１０の端部に延設された１対の胴体保護部１１を有する。夫々の胴体保護部１１には、腕を通すことが可能な孔１２が設けられている。人が、この孔１２に腕を通し、防災頭巾２を装着することで、水中でより大きな浮力を得ることができる。更に、防災頭巾２が簡単に外れてしまうことを防止することができるため、例えば、水難者が本実施形態の防災頭巾２を着用していれば、救助者は防災頭巾２の頭部等を掴むだけで水難者を容易に引き寄せることができる。また、１対の胴体保護部１１は、一体形成されることで、ベスト状着衣であってもよい。このベスト状着衣の具体的な形状については、市販のベストと同様の形状を適宜採用することができる。
【００４３】
なお、胴体保護部１１の長さとしては、人の両肩から胸を覆う程度の長さから、さらに腰から腹部まで覆う程度の長さまで適宜選択することができ、災害時の落下物や漂流物等から胴体を保護することができる。
【００４４】
この胴体保護部１１は、頭部保護部１０と同様に、裏層材１０１、浮材１００、表層材１０２が、装着時に胴体部に隣接する側から順に配置されている構造としてもよい。裏層材１０１と表層材１０２とにより、保持部１０３が形成されていてもよい。この裏層材１０１、浮材１００、表層材１０１は、本実施形態の防災頭巾２を装着した人が水中で浮力を得ることができる材質であれば特に限定されず、頭部保護部１０内に設けられた浮材と同一の材質としてもよいし、異なる材質としてもよい。浮材１００は、機械的強度、クッション性、耐候性、耐老化性、耐永久歪み性の物性バランスを良好にするために、例えば、クロロプレンゴム発泡体等のゴム発泡体で構成される。
【００４５】
なお、本実施形態の防災頭巾２のその他の構成及び効果は、前述した第１の実施形態の防災頭巾１と同様である。
【００４６】
以上詳述したように、本実施形態の防災頭巾２は、ゴム発泡体を有する頭部保護部１０のみならず、胴体保護部１１を有するため、水中でより大きな浮力を得ることができると共に、災害時の落下物や漂流物等から胴体を保護することができる。
【００４７】
＜第３の実施形態＞
次に、本発明の第３の実施形態の防災頭巾３について説明する。図８は、本実施形態の防災頭巾３の前方斜視図であり、図９は、防災頭巾３の後方斜視図である。また、図１０は、防災頭巾３を人が装着した状態を示す前方斜視図である。図８〜図１０に示すように、本実施形態の防災頭巾３では、防災頭巾３を装着した人の脇下に当てられる浮遊補助部１３が設けられる。
【００４８】
その他に、本実施形態の防災頭巾３は、頭部保護部１０の後頭部を覆う領域に、人が防災頭巾３を装着した際に頭頂部を覆う側から首を覆う側への頭部保護部１０同士の合わせ目１９に沿って形成されたファスナー１４、頭頂部を覆う領域に設けられた取っ手部１５、及び聴覚を確保するための耳部通気孔１６が設けられている。また、防災頭巾３は、顎ベルト４１と顎ベルト４２とに、例えば、ピンバックルやサイドリリースバックル、面ファスナー等のようなベルト接続部が取り付けられており、ベルトの連結や切り離しが可能である。ここでは、主に浮遊補助部１３、ファスナー１４、取っ手部１５、及び耳部通気孔１６の構成及びその機能について説明する。なお、前述したように、本発明の第１の実施形態の防災頭巾１、第２の実施形態の防災頭巾２では、ファスナー１４、取っ手部１５、耳部通気孔１６の少なくともいずれか１つが設けられていてよい。
【００４９】
［浮遊補助部１３］
図１０に示すように、浮遊補助部１３は、１対の脇当てベルト２０の夫々に装着され、防災頭巾３を装着した人の脇下に当てられる。本実施形態の防災頭巾３は、浮遊補助部１３を有するため、人の脇下にも浮力を与えることができ、上半身が水中でより大きな浮力を得ることができる。
【００５０】
この浮遊補助部１３の構成は、頭部保護部１０と同様とすることができ、浮遊補助部１３は、頭部保護部１０が有する浮材と同様の構成の浮材を内部に有することができる。
【００５１】
図１１は、脇当てベルト２０に装着した浮遊補助部１３を脇当てベルト２０から取り外す工程を説明するための図である。図１１ａに示すように、脇当てベルト２０に装着された浮遊補助部１３は、図１１ｂに示すように、脇当てベルト２０から取り外すことができる。特に限定されないが、浮遊補助部１３は、その内部に取り付けられ、図中矢印Ｆの方向に脱着可能な面ファスナー１７、１８によって脇当てベルト２０を挟持するようにして装着され、容易に脇当てベルト２０から脱着することができる。
【００５２】
後述するように、本実施形態の防災頭巾３では、ファスナー１４を開くことにより、頭部保護部１０をシート状に展開することが可能であり、この頭部保護部１０をマットや座布団等として使用することができる。このとき、脇当てベルト２０から取り外した浮遊補助部１３は、枕としても使用することができる。
【００５３】
［ファスナー１４］
図９に示すように、本実施形態の防災頭巾３は、頭部保護部１０の後頭部を覆う領域に、頭頂部側から首側への頭部保護部１０同士の合わせ目に沿って、ファスナー１４が設けられている。また、本実施形態の防災頭巾３の顎ベルト４１、４２に取り付けられている接続具は連結と切り離しが可能である。このファスナー１４を開き、顎ベルト４１と顎ベルト４２とを切り離すことにより、頭部保護部１０をシート状に展開することができる。更に、防災頭巾３の人の頭部への装着時に、頭部のサイズ等に合わせてファスナー１４の開閉状態を調節することもできる。
【００５４】
図１２は、ファスナー１４を開いて、頭部保護部１０をシート状に展開した状態を説明するための図である。図１２に示すように、この頭部保護部１０はマットや座布団等として使用することができる。頭部保護部１０をマットとして使用する際には、前述したように、脇当てベルト２０から取り外した浮遊補助部１３を枕として使用することもできる。
【００５５】
図１３は、本実施形態の防災頭巾３を椅子５００に装着した状態を説明するための図である。図１３に示すように、頭部保護部１０を椅子５００の座面上に配置し、防災頭巾３を座布団として用いることで、防災頭巾３を身近に設置して、災害に備えることができる。特に限定されないが、例えば、脇当てベルト２０とベルト支持部３０とにより椅子５００の背もたれ５０２を支持することにより、防災頭巾３が椅子からずれ落ちてしまうことを防止できる。また、脇当てベルト２０とベルト支持部３０とは、椅子５００の脚部５０３を支持してもよい。
【００５６】
［その他の構成］
図９及び図１０に示すように、本実施形態の防災頭巾３には、頭頂部を覆う領域に取っ手部１５が設けられていてもよい。防災頭巾３に取っ手部１５が設けられていることで、取っ手部１５を掴み、水中で浮遊している防災頭巾３を装着した人を救出者は容易に引っ張ることができる。また、この取っ手部１５の外表面には、反射テープが貼付されていることが好ましい。これにより、水中で浮遊している防災頭巾３を装着した人は発見されやすくなる。
【００５７】
また、図９及び図１０に示すように、本実施形態の防災頭巾３では、頭部保護部１０の耳部を覆う領域に耳部通気孔１６が設けられていてもよい。耳部通気孔１６が設けられていることで、防災頭巾３を装着した人の聴覚を確保することができる。
【００５８】
以上詳述したように、本実施形態の防災頭巾３は、浮遊補助部１３を有しているため、水中でより大きな浮力を得ることができる。また、本実施形態の防災頭巾３は、特定のファスナー１４を有すると共に、連結と切り離しが可能な顎ベルト４１、４２を有しているため、シート状に展開することで、マットや座布団等として使用することができる。
【符号の説明】
【００５９】
１、２、３  防災頭巾
１０    頭部保護部
１１    胴体保護部
１３    浮遊補助部
１４    ファスナー
１５    取っ手部
１６    耳部通気孔
１９    合わせ目
２０    脇当てベルト
３０    ベルト支持部
４０、４１、４２    顎ベルト
１００  浮材
１０１  裏層材
１０２  表層材
１０３  保持部
【図１】
2018138177.tif 000003
【図２】
2018138177.tif 000004
【図３】
2018138177.tif 000005
【図４】
2018138177.tif 000006
【図５】
2018138177.tif 000007
【図６】
2018138177.tif 000008
【図７】
2018138177.tif 000009
【図８】
2018138177.tif 000010
【図９】
2018138177.tif 000011
【図１０】
2018138177.tif 000012
【図１１】
2018138177.tif 000013
【図１２】
2018138177.tif 000014
【図１３】
2018138177.tif 000015